(57)【要約】【課題】  近くに配置された非常停止スイッチを操作して紙葉類処理装を停止し、この非常停止スイッチとセットにして配置された再スタートスイッチを操作することによって、装置を安全に復旧することができる紙葉類処理装置を提供する。【解決手段】  オペレートパネル２０のスタートスイッチで稼働中になった紙葉類処理装置を、近くに配置されたスイッチパネルＲＳ０２〜ＲＳ２６の非常停止スイッチＥＭ−ＳＷをオンして非常停止し、再稼働する際、非常停止に用いた非常停止スイッチＥＭ−ＳＷとセットに組み込まれた再スタートスイッチＲＥ−ＳＷをオンする。紙葉類処理装置の異なる位置に上記スイッチパネル（ＲＳ０２〜ＲＳ２６）を複数個配置し、非常時にはどこからでも近くに配置されたスイッチパネルの非常停止スイッチＥＭ−ＳＷで紙葉類処理装置を停止する。【選択図】  図２
2005289590.tif 000002
【特許請求の範囲】
【請求項１】
紙葉類を搬送して処理する紙葉類処理装置であって、
この紙葉類処理装置に配置されて、前記紙葉類処理装置を稼動させるスタート手段と、
このスタート手段によって稼働中になった前記紙葉類処理装置を停止させるストップ手段と、
前記紙葉類処理装置が稼働中にこの紙葉類処理装置を非常停止するための第１の非常停止手段と、
この第１の非常停止手段の近傍にセットにして配置され、前記第１の非常停止手段によって非常停止した前記紙葉類処理装置を再稼働するための第１の再スタート手段と、
前記第１の非常停止手段と異なる位置に配置された第２の非常停止手段と、
この第２の非常停止手段の近傍にセットにして配置され、前記第２の非常停止手段によって非常停止した前記紙葉類処理装置を再稼働するための第２の再スタート手段と、
前記スタート手段、前記ストップ手段、前記第１の非常停止手段、前記第１の再スタート手段、前記第２の非常停止手段及び前記第２の再スタート手段からの出力信号に基づいて前記紙葉類処理装置を駆動制御する制御手段と
を有することを特徴とする紙葉類処理装置。
【請求項２】
前記第１の非常停止手段及び前記第２の非常停止手段は、
それぞれスイッチを有し、何れかのスイッチが入力されると、入力されたスイッチのオン状態がロックされ、かつ、このロックが解除されるまでオン状態を継続して出力し、
前記制御手段は、
前記第１の非常停止手段のスイッチまたは前記第２の非常停止手段のスイッチのオン状態のロックが解除されてから、前記第１の非常停止手段で前記紙葉類処理装置を非常停止した場合は前記第１の再スタート手段からの出力信号に基づいて前記紙葉類処理措置を再稼働し、前記第２の非常停止手段で前記紙葉類処理装置を非常停止した場合は前記第２の再スタート手段からの出力信号に基づいて前記紙葉類処理装置を再稼働することを特徴とする請求項１記載の紙葉類処理装置。
【請求項３】
前記制御手段はさらに、
前記ストップ手段からの出力信号に基づいて前記紙葉類処理装置の終了処理を行い、この終了処理が終了してから前記紙葉類処理装置を停止し、この紙葉類処理装置が停止した後は前記スタート手段からの出力信号が検知されるまで、前記第１及び第２の非常停止手段、前記第１及び第２の再スタート手段からの出力信号が検知されてもこれらの出力信号を無視することを特徴とする請求項１記載の紙葉類処理装置。
【請求項４】
紙葉類処理装置が稼働中にこの紙葉類処理装置を非常停止するための非常停止手段と、
この非常停止手段によって非常停止した前記紙葉類処理装置を再稼働するための再スタート手段と、
前記非常停止手段と前記再スタート手段をセットにして組み込み前記紙葉類処理装置のそれぞれ異なる位置に複数配置したスイッチパネルと、
このスイッチパネルの中の何れかの非常停止手段の出力信号に基づいて前記紙葉類処理装置を非常停止し、この非常停止したスイッチパネルの前記再スタート手段の出力信号に基づいて前記紙葉類処理装置を再稼働する制御手段と
を有することを特徴とする紙葉類処理装置。
【発明の詳細な説明】
【技術分野】
【０００１】
本発明は、非常停止スイッチ及び再スタートスイッチを有して非常停止・再稼働の容易な紙葉類処理装置に関する。
【背景技術】
【０００２】
紙葉類処理装置（以下、装置と称する）は、操作員がオペレートパネルのスタートスイッチをオンすることによって稼働する。また、装置稼働中に紙葉類のジャム処理や異常音の発生などで装置を停止しなければならない状態が発生したとき、操作員はオペレートパネルに配置された非常停止スイッチをオンすることによって装置全体を停止し、装置停止を確認してから非常状態を復旧していた。そして、この非常状態の復旧後、非常停止スイッチを復旧し、操作パネルのスタートスイッチを再度オンして装置を再稼働していた。（例えば、特許文献１参照。）。
【特許文献１】特開２０００−３３３４１号公報  （第４頁、図５）
【発明の開示】
【発明が解決しようとする課題】
【０００３】
しかしながら、例えば、装置の全長が約４０ｍ、高さが約２ｍ程度の大規模な装置の場合、集積部の数が増大するため前後に集積部を配置する場合があり、装置の全周が約８０ｍに達することがある。このような大規模な装置の場合、装置稼働中に発生した紙葉類のジャム処理や異常音の発生などで装置を停止しなければならない状態が発生したとき操作員は近くの非常停止スイッチをオンして装置を停止する必要がある。そのために複数の非常停止スイッチを装置内に配置し、その何れの非常停止スイッチをオンしても装置を停止できる構成にする必要がある。
【０００４】
また、オペレートパネルのスタートスイッチを操作する操作員と後方で非常状態を復旧する操作員が異なる場合、復旧後にオペレートパネルのスタートスイッチを操作する操作員が非常状態を復旧する操作員の復旧作業の結果を確認しずらいという問題があった。そのため、装置の再稼働を行う場合は、非常状態を復旧した操作員がオペレートパネルのスタートスイッチの位置まで移動するか、大きな声でオペレートパネルの操作員に知らせる必要があり、操作しにくいという問題があった。
【０００５】
さらにまた、後方で復旧操作を行う操作員が、復旧した直後にオペレートパネルの操作員によってスタートスイッチがオンされると復旧操作員の意図とは異なったタイミングで装置が稼動することがあり安全上好ましくないという問題があった。
【０００６】
本発明は上記問題を解決するためになされたもので、近くに配置された非常停止スイッチを操作して紙葉類処理装置を停止でき、この非常停止スイッチとセットにして配置された再スタートスイッチを操作することによって、装置を安全に復旧することができる紙葉類処理装置を提供することを目的とする。
【課題を解決するための手段】
【０００７】
上記目的を達成するために、本発明の紙葉類処理装置は、紙葉類を搬送して処理する紙葉類処理装置であって、この紙葉類処理装置に配置されて、前記紙葉類処理装置を稼動させるスタート手段と、このスタート手段によって稼働中になった前記紙葉類処理装置を停止させるストップ手段と、前記紙葉類処理装置が前記稼働中にこの紙葉類処理装置を非常停止するための第１の非常停止手段と、この第１の非常停止手段の近傍にセットにして配置され、前記第１の非常停止手段によって非常停止した前記紙葉類処理装置を再稼働するための第１の再スタート手段と、前記第１の非常停止手段と異なる位置に配置された第２の非常停止手段と、この第２の非常停止手段の近傍にセットにして配置され、前記第２の非常停止手段によって非常停止した前記紙葉類処理装置を再稼働するための第２の再スタート手段と、前記スタート手段、前記ストップ手段、前記第１の非常停止手段、前記第１の再スタート手段、前記第２の非常停止手段及び前記第２の再スタート手段からの出力信号に基づいて前記紙葉類処理装置を駆動制御する制御手段とを有することを特徴とする。
【発明の効果】
【０００８】
本発明によれば、近くに配置された非常停止スイッチを操作して紙葉類処理装置を停止でき、この非常停止スイッチとセットにして配置された再スタートスイッチを操作することによって、装置を安全に復旧することができる。
【発明を実施するための最良の形態】
【０００９】
以下、図面を参照して本発明の実施例を説明する。
【実施例】
【００１０】
図１は、本発明の実施例による紙葉類処理装置（以下、ＯＶＩＳと称する。）の概略構成図である。ＯＶＩＳとは、Ocr / Vcs Integrated System  の略であり、紙葉類の区分情報をＯＣＲで読み取り、このＯＣＲで読み取った区分情報を認識する。また、その読み取った区分情報をＩＪＰ（Ink Jet Printer）で当該紙葉類にバーコード印字し、区分毎の区分口を有するスタッカに当該紙葉類を集積する装置である。また、上記ＯＣＲで読み取れなかった紙葉類は、当該紙葉類の区分情報を示す画像情報がビデオコーディングシステム（Video Coding System）（以下、ＶＣＳと称する。）に送信され、当該画像情報に基づいて操作員によって区分情報が入力されると、オンライン処理中に上記ＩＪＰでバーコードが印字されて上記スタッカに集積される。
【００１１】
ＯＶＩＳでは、供給部１に紙葉類をセットし、オペレートパネル２０のスタートスイッチ（Ｓｔａｒｔ−ＳＷ、図示しない）をオンすることによって装置を起動させると取出部２から紙葉類が取出される。異物混入紙葉類や定型外紙葉類などの書状を検出して排除集積部３へ排除し、それ以外の供給可能な紙葉類は、プレバーコード読取部４と文字認識部５で紙葉類に記載された各種データを認識して、遅延搬送部６へと流れていく。遅延搬送部６は、文字認識部５で読み取れなかった紙葉類をＶＣＳ処理（紙葉類の画像をモニタに表示し、操作員が一定時間内に区分情報を打鍵する処理）の時間を稼ぐための搬送部である。その後、プレバーコード読取部４、文字認識部５及びＶＣＳ打鍵情報を元に区分情報をＩＪＰ印刷部７にて特殊フォーマットのバーコードを印字し、その印字した内容をベリファイバーコード読取部８にて再チェックを行う。その後、最終判定（最終行先スタッカの決定）を行って、該当のスタッカへ集積させるために分岐部９にてゲート（図示しない）を起動し各段への振分を行う。振分られた紙葉類は、スタッカ集積部１０へと搬送され、最終行先スタッカの決定に従って該当スタッカへ集積される。
【００１２】
図２は、ＯＶＩＳを制御する制御部（制御手段）に関するブロック図である。制御部３０は、供給・取出部周辺をコントロールするための取出制御部３１、異物混入紙葉類を排除するための異物検出制御部３２、紙葉類の区分情報をやりとりするための読取部インターフェース制御部３３、その情報をバーコード印刷（ＩＪＰ）するための印刷制御部３４、紙葉類を搬送させ決められたスタッカへ集積させる搬送・区分制御部３５、及び紙葉類の集積情報や装置の異常情報を表示するためのパネル制御部３６を制御する。
【００１３】
搬送・区分制御部３５は、郵便物をベルト搬送するためのモータ駆動回路４０、この搬送ベルトがどのくらいのスピードで駆動しているのかを検出するためのエンコーダ入力回路４１、上記各スタッカへ集積させるためのゲート駆動回路４２、そのゲートの駆動タイミングを検出するシフトセンサ、集積状態を監視する満杯検出センサ（２種）、及び紙札発行スイッチのオン／オフボタンを検出するためのスイッチ制御回路４３を有する。さらに、搬送・区分制御部３５は、スタッカを制御をするために、スタッカの満杯状態を知らせるための満杯ランプ、及び集積開始又は抜き取りを指示する紙札ランプの点灯／消灯制御を行うランプ制御回路４４、並びに集積情報を表示するためのＬＣＤ制御回路４５を有する。また、各種情報を保持するためのメモリ回路４６を有する。
【００１４】
図３は、本発明の実施例によるＯＶＩＳのスイッチパネルＲＳ０２〜ＲＳ２６の配置位置及び構成を示す図である。上記オペレートパネル２０にはスタートスイッチＳｔａｒｔ−ＳＷ及びストップスイッチＳｔｏｐ−ＳＷが配置されている。このスタートスイッチＳｔａｒｔ−ＳＷ（スタート手段）をオンすることによってＯＶＩＳが稼動され、ストップスイッチＳｔｏｐ−ＳＷ（ストップ手段）をオンすることによってＯＶＩＳが停止する。
【００１５】
なお、これらスタートスイッチＳｔａｒｔ―ＳＷ及びストップスイッチＳｔｏｐ−ＳＷ信号はパネル制御部３６を介して制御部３０に通知され、制御部３０によって装置が駆動又は停止される。
【００１６】
スイッチパネルＲＳ０２〜ＲＳ２６は、各主要な部分、及びスタッカ集積部１０の所定間隔毎にが配置されている。また、本実施例では、スタッカ集積部１０のスイッチパネルＲＳ０８〜ＲＳ２６の配置間隔を５．２ｍと設定している。
【００１７】
上記スイッチパネルＲＳ０２〜ＲＳ２６は、各々のスイッチパネル毎に非常停止スイッチＥＭ−ＳＷと再スタートスイッチＲＥーＳＷを有して構成される。
【００１８】
非常停止スイッチＥＭ−ＳＷ（非常停止手段）は、ロック機構を有して構成され、スイッチ部分がオンされると、ＯＶＩＳを非常停止し、この非常停止スイッチＥＭ−ＳＷのロックが解除されるまでオンされた状態を保持するようになっている。
【００１９】
再スタートスイッチＲＥーＳＷ（再スタート手段）は、プッシュスイッチで構成され、当該スイッチパネルの非常停止スイッチＥＭ−ＳＷを用いて非常停止した状態から再度ＯＶＩＳを稼働する。
【００２０】
次に、図４に示すＯＶＩＳの稼動及び停止に関するタイミングチャートを参照して動作を説明する。ここでは、例えばスイッチパネルＲＳ０６（第１のスイッチパネル）及びＲＳ１０（第２のスイッチパネル）が操作された場合について説明するがその他のスイッチパネルが操作された場合も同様である。
【００２１】
最初に、オペレートパネル２０のＳｔａｒｔ―ＳＷをオンしてＯＶＩＳを稼動する。このとき、ＯＶＩＳの駆動モータが稼動する（Ｔ１、駆動モータＯＮ）。
【００２２】
図の稼働中ｔｏｐとは、Ｓｔａｒｔ−ＳＷで装置が稼動されてからＳｔｏｐ−ＳＷで装置が停止するまでの間をいう。
【００２３】
なお、このスタートスイッチＳｔａｒｔ−ＳＷがオンされる以前にオンされた非常停止スイッチＥＭ―ＳＷ０６（タイミングＴ０１）、非常停止スイッチＥＭ−ＳＷ１０（タイミングＴ０２）、再スタートスイッチＲＥ−ＳＷ０６（タイミングＴ０３）、再スタートスイッチＲＥ−ＳＷ１０（タイミングＴ０４）の信号は無視され、駆動モータに影響を与えない。ただし、非常停止スイッチＥＭ−ＳＷ０６及び非常停止スイッチＥＭ−ＳＷ１０は、スイッチがオンされると機械的にロックされてオンされた状態を保持する。従って、例えばＥＭ−ＳＷ０６をタイミングＴ０１でオンした場合、又はＥＭ−ＳＷ１０をタイミングＴ０２でオンした場合、オンされて機械的にロックしている状態のこれらのつまみを引っ張って解除する必要がある。非常停止スイッチの種類によっては、つまみを回転して機械的にロックした状態を解除するものもあるが本発明の範囲に含まれる。
【００２４】
次に、非常停止が必要な状況が発生し、スイッチパネルＲＳ０６の非常停止スイッチＥＭ−ＳＷ０６（第１の非常停止手段）がオンされると、ＯＶＩＳの駆動モータが非常停止する（タイミングＴ２、駆動モータＯＦＦ）。
【００２５】
次に、操作員によって上記非常停止の原因が取り除かれ、上記非常停止スイッチＥＭ―ＳＷ０６のつまみを引っ張ってロックを解除する。そして、解除した非常停止スイッチＥＭ−ＳＷ０６と同一のスイッチパネルＲＳ０６に配置された再スタートスイッチＲＥーＳＷ０６（第１の再スタート手段）をオンすることによってＯＶＩＳの駆動モータが再稼働する（タイミングＴ３、駆動モータＯＮ）。
【００２６】
次に、再度非常停止が必要な状況が発生し、スイッチパネルＲＳ０６の非常停止スイッチＥＭ−ＳＷ０６がオンされると、ＯＶＩＳの駆動モータが非常停止する（タイミングＴ４、駆動モータＯＦＦ）。
【００２７】
次に、操作員によって上記非常停止の原因が取り除かれ、上記非常停止スイッチＥＭ―ＳＷ０６のつまみを引っ張ってロックが解除される。ここで、解除された非常停止スイッチＥＭ−ＳＷ０６と異なるスイッチパネルＲＳ１０に配置された再スタートスイッチＲＥーＳＷ１０がオンされた場合、ＯＶＩＳの駆動モータは再稼働しない（タイミングＴ５、駆動モータＯＦＦを継続）。
【００２８】
次に、操作員によってオンした非常停止スイッチＥＭ−ＳＷ０６と同一のスイッチパネルＲＳ０６に配置された再スタートスイッチＲＥーＳＷ０６がオンされると、ＯＶＩＳの駆動モータは再稼働する（タイミングＴ６、駆動モータＯＮ）。
【００２９】
次に、再度非常停止が必要な状況が発生し、スイッチパネルＲＳ１０の非常停止スイッチＥＭ−ＳＷ１０（第２の非常停止手段）がオンされると、ＯＶＩＳの駆動モータが非常停止する（タイミングＴ７、駆動モータＯＦＦ）。
【００３０】
次に、操作員によって上記非常停止の原因が取り除かれ、上記非常停止スイッチＥＭ―ＳＷ１０のつまみが引っ張られてロックが解除される。そして、操作員によってオンした非常停止スイッチＥＭ−ＳＷ１０と同一のスイッチパネルＲＳ１０に配置された再スタートスイッチＲＥーＳＷ１０（第２の再スタート手段）がオンされると、ＯＶＩＳの駆動モータは再稼働する（タイミングＴ８、駆動モータＯＮ）。
【００３１】
次に、紙葉類の区分処理が終了し、オペレートパネル２０のストップスイッチＳｔｏｐ―ＳＷがオンされるとＯＶＩＳは終了処理（ｔｅｎｄ）を経て駆動モータは停止する（タイミングＴ９→ｔｅｎｄ、駆動モータＯＦＦ）。
【００３２】
次に、オペレートパネル２０のストップスイッチＳｔｏｐ−ＳＷがオンされた後にオンされたＥＭ―ＳＷ０６（タイミングＴ１０）、ＥＭ−ＳＷ１０（タイミングＴ１１）、ＲＥ−ＳＷ０６（タイミングＴ１２）、ＲＥ−ＳＷ１０（タイミングＴ１３）の信号は無視され、駆動モータに影響を与えない。ただし、非常停止スイッチＥＭ−ＳＷ０６及び非常停止スイッチＥＭ−ＳＷ１０は、オンされると機械的にロックされてオンされた状態を保持する。従って、例えば非常停止スイッチＥＭ−ＳＷ０６をタイミングＴ１０でオンした場合、又は非常停止スイッチＥＭ−ＳＷ１０をタイミングＴ１１でオンした場合、オンされて機械的にロックしている状態のこれらのつまみを引っ張って解除する必要がある。
【００３３】
なお、非常停止スイッチＥＭ−ＳＷはどのスイッチパネルの非常停止スイッチＥＭ−ＳＷをオンしてもＯＶＩＳの駆動モータを停止することができる。これは非常状態が発生した場合には安全を確保するため、駆動モータをすぐ停止する必要があり、どこからでも非常停止スイッチをオンできるようにしてあるためである。
【００３４】
また、オンされた非常停止スイッチＥＭ−ＳＷは、機構的にロックされ、操作員が非常停止スイッチＥＭ−ＳＷをオンする原因となった非常状態を処理する間はロックされた状態になっている。再稼働するには、操作員がこの非常状態を処理した後、オンされた非常停止スイッチＥＭ−ＳＷを引っ張ってロックを解除し、この解除した非常停止スイッチＥＭ−ＳＷと同一スイッチパネルに配置された再スタートスイッチＲＥ−ＳＷをオンしたときのみ再稼働できるように構成されている。
【００３５】
このような構成にすることによって、異常を感知した操作員が自ら非常停止スイッチをオンしてＯＶＩＳを非常停止し、その停止箇所から再稼働できるため、本実施例のＯＶＩＳのように装置の全長が長い場合には操作性が改善されるだけでなく、他のスイッチパネルに配置された再スタートスイッチＲＥ−ＳＷ又はメインパネル２０から再稼働されないために安全性が確保できる。
【図面の簡単な説明】
【００３６】
【図１】本発明の実施例による紙葉類処理装置の概略構成図。
【図２】紙葉類処理装置を制御する制御部に関するブロック図。
【図３】本発明の実施例による紙葉類処理装置のスイッチパネルの配置位置及び構成を示す図。
【図４】本発明の実施例による紙葉類処理装置の稼働及び停止に関するタイミングチャート。
【符号の説明】
【００３７】
１  供給部
２  取出部
３  排除集積部
４  プレバーコード読取部
５  文字認識部
６  遅延搬送部
７  ＩＪＰ印刷部
８  ベリファイバーコード読取部
９  分岐部
１０  スタッカ集積部
２０  オペレートパネル
３０  制御部
Ｓｔａｒｔ−ＳＷ  スタートスイッチ
Ｓｔｏｐ―ＳＷ  ストップスイッチ
ＲＳ０２〜ＲＳ２６  スイッチパネル
ＥＭ−ＳＷ  非常停止スイッチ
ＲＥ―ＳＷ  再スタートスイッチ
【図１】
2005289590.tif 000003
【図２】
2005289590.tif 000004
【図３】
2005289590.tif 000005
【図４】
2005289590.tif 000006